(57)【要約】【課題】アンテナと表示車とを有する電子時計の厚さを薄くする。【解決手段】電子時計１は、裏蓋４を有する外装ケース５と、日車１４（表示車）を有する時計ムーブメント１０と、時計ムーブメント１０を構成する時計モジュール１２のうち、裏蓋４の側に配置された、ＧＮＤパターン３１ｂ及び給電回路３１ｃが形成された回路基板３１（第１基板）と、時計の厚さ方向ｔにおいて、少なくとも一部が日車１４と重複する位置に配置された、アンテナパターン３４（アンテナ）が形成されたアンテナ基板３２（第２基板）と、給電回路３１ｃとアンテナパターン３４とを接続した導通部材３３と、を備える。【選択図】図１
2020016563.tif 000002
【特許請求の範囲】
【請求項１】
裏蓋を有する外装ケースと、
表示車を有する時計ムーブメントと、
前記時計ムーブメントを構成する時計モジュールのうち前記裏蓋の側に配置された、ＧＮＤパターン及び給電回路が形成された第１基板と、
時計の厚さ方向において、少なくとも一部が前記表示車と重複する位置に配置された、アンテナが形成された第２基板と、
前記給電回路と前記アンテナとを接続した導通部材と、を備えた電子時計。
【請求項２】
前記アンテナに対して前記裏蓋とは反対側にソーラセルが配置され、
前記アンテナと前記ソーラセルとの間に、誘電体が配置されている請求項１に記載の電子時計。
【請求項３】
前記アンテナは線状アンテナであり、
時計の平面視において、前記線状アンテナの少なくとも一部が前記ソーラセルと重複する位置に配置されている請求項１又は２に記載の電子時計。
【請求項４】
時計の平面視において、前記第１基板は、前記アンテナと重複する部分が開口しているか、又は前記アンテナに対する基準電位として機能する部分以外の部分だけが形成されている請求項１から３のうちいずれか１項に記載の電子時計。
【請求項５】
時計の平面視において、前記第２基板は前記表示車の内側に配置されている請求項１から４のうちいずれか１項に記載の電子時計。
【請求項６】
時計の平面視において、前記第２基板は前記表示車と重複しない配置である請求項１から５のうちいずれか１項に記載の電子時計。
【請求項７】
前記第２基板は、通信以外の機能の回路を含む請求項１から６のうちいずれか１項に記載の電子時計。
【請求項８】
前記第２基板は、表示車押さえを兼ねている請求項１から７のうちいずれか１項に記載の電子時計。
【請求項９】
前記第２基板は、前記表示車の、前記裏蓋とは反対の面から突出しないように配置されている請求項１から８のうちいずれか１項に記載の電子時計。
【発明の詳細な説明】
【技術分野】
【０００１】
本発明は、電子時計に関する。
【背景技術】
【０００２】
近年、電子時計は種々の機能を有し、その機能の増加に伴って、電子時計はその厚さが増大している。例えば、各種の電磁波を受信するためのアンテナを有する電子時計の場合、アンテナの他に、受信回路を有する回路基板も必要となる。
【０００３】
そして、アンテナは、受信感度を良くする観点から、導体から遠ざけた配置とすることが望まれる。このため、アンテナを、金属製の時計ケースの裏蓋や金属製の電池などから遠ざけた配置で、しかも外部から視認できない配置とする必要がある。一例として、アンテナは、文字板と時計ムーブメントとの間に配置され、回路基板は、アンテナから遠ざけた、時計ムーブメントを挟んで裏蓋に近い側に配置される（例えば、特許文献１参照）。
【先行技術文献】
【特許文献】
【０００４】
【特許文献１】特開２０１６−１４８６１１号公報
【発明の概要】
【発明が解決しようとする課題】
【０００５】
ここで、さらに、カレンダー機能等を発揮する日車や曜車、表示している時刻の地域帯を表す都市表示車、動作状態を表す機能車などの表示車を有した時計では、表示車はアンテナと文字板との間に配置され、電子時計の厚さはさらに厚くなる。つまり、表示車は、日付や曜日や都市名や機能名などが複数、周方向に並んで表示されていて、文字板の直下（文字板の裏面側において、文字板に近接した位置）に配置されている。そして、表示車が回転することにより、文字板に形成された窓（開口）に、一つの日付や曜日や都市名や機能名を重ね合わせて、日付や曜日や都市名や機能名を視認させるように構成されている。
【０００６】
本発明は上記事情に鑑みなされたものであり、時計の厚さを薄くすることができる、アンテナと表示車とを有する電子時計を提供することを目的とする。
【課題を解決するための手段】
【０００７】
本発明は、裏蓋を有する外装ケースと、表示車を有する時計ムーブメントと、前記時計ムーブメントを構成する時計モジュールのうち前記裏蓋の側に配置された、ＧＮＤ（グランド）パターン及び給電回路が形成された第１基板と、時計の厚さ方向において、少なくとも一部が前記表示車と重複する位置に配置された、アンテナが形成された第２基板と、前記給電回路と前記アンテナとを接続した導通部材と、を備えた電子時計である。
【発明の効果】
【０００８】
本発明に係る電子時計によれば、アンテナと表示車とを有していても、厚さを薄くすることができる。
【図面の簡単な説明】
【０００９】
【図１】本発明に係る電子時計の一実施形態としての腕時計である電子時計の厚さ方向ｔを含む面による断面を示す断面図である。
【図２】図１の電子時計における時計ムーブメントを示す斜視図である。
【図３】図２の時計ムーブメントから日車押さえ（表示車押さえ）及びアンテナ基板（第２基板）を取り外した状態を示す分解斜視図である。
【図４】アンテナ基板が、時計モジュールの内部にあって、表示車の外側に配置された例を示す平面視での模式図であり、表示車として１つの日車を適用した例を示す。
【図５】アンテナ基板が、時計モジュールの内部にあって、表示車の外側に配置された例を示す平面視での模式図であり、表示車として、日付の数字のうち１の位の数字を表す日車と１０の位の数字を表す日車を適用した例を示す。
【図６】日車押さえを備えない構成の電子時計を示す図１相当の断面図である。
【図７】図６における時計モジュールを示す図２相当の斜視図である。
【図８】ソーラセルが日車押さえの機能を発揮する構成の例を示す図１相当の断面図である。
【図９】日車押さえがアンテナ基板を兼ねた構成の電子時計を示す図３相当の分解斜視図である。
【図１０】図９に示した電子時計の、図１相当の断面図である。
【図１１】回路基板の、アンテナ基板のアンテナパターンと重複する部分の少なくとも一部に開口が形成された電子時計の、厚さ方向の断面を示す図１相当の断面図である。
【図１２】日車押さえを除いた時計モジュールを、文字板の側から見た平面図である。
【図１３】図１２に示した時計モジュールを、図示の上下方向の軸回りに回転させて裏蓋側から見た底面図である。
【図１４】回路基板の、アンテナ基板のアンテナパターンと重複する部分の少なくとも一部に、アンテナパターンに対する基準電位として機能する部分（例えば、ＧＮＤ（グランド）パターン）が形成されていないものを示す図１相当の断面図である。
【発明を実施するための形態】
【００１０】
以下、本発明に係る電子時計の具体的な実施形態について、図面を用いて説明する。
【００１１】
図１は本発明に係る電子時計の一実施形態としての腕時計である電子時計１の厚さ方向ｔを含む面による断面を示す断面図、図２は図１の電子時計１における時計ムーブメント１０を示す斜視図、図３は図２の時計ムーブメント１０から日車押さえ１５及びアンテナ基板３２（第２基板）を取り外した状態を示す分解斜視図である。
【００１２】
＜構成＞
図示の電子時計１は、図示を略したバンドを用いて人体の手首に装着される腕時計である。電子時計１は、図１に示すように、外装ケース５と、時計ムーブメント１０と、受信部３０と、時刻表示部５０と、を備えている。
【００１３】
外装ケース５は、ベゼル２と、胴３と、裏蓋４と、を備えている。ベゼル２と胴３とは、例えばステンレス鋼等の金属材料（導電性材料）で形成されている。なお、外装ケース５は、セラミックスやガラス、樹脂などの非導電性材料によって形成されてもよい。ベゼル２と胴３とは、電子時計１の厚さ方向ｔに重ねられて短円筒状の外周部分を形成している。裏蓋４は、外周部分が形作る短円筒の一方の端部（図１においては下端面）を閉じている。これにより、外装ケース５は、内側に、短円柱状の空間を形成している。
【００１４】
外装ケース５の他方の端部（図１においては上端面）には風防ガラス６が嵌められて、風防ガラス６は、この他方の端部を閉じている。外装ケース５の内側の、風防ガラス６によって閉じられた空間には、時刻表示部５０、時計ムーブメント１０及び受信部３０が配置される。
【００１５】
時刻表示部５０は、閉じられた空間のうち風防ガラス６に近い側に配置されている。時刻表示部５０は、時針５５、分針５６及び秒針５７という指針によって、文字板５１のおもて面（風防ガラス６を向いた面）に設けられた時字（インデックス）５２を指し示すことで時刻を表示する。つまり、電子時計１は、いわゆるアナログ時計である。文字板５１は光透過性を有している。
【００１６】
なお、図１においては、時針５５、分針５６及び秒針５７が、単一の軸５４に固定されているように記載されているが、これは、図示や以下の説明を簡単化するためであり、実際には、時針５５が固定された軸と、分針５６が固定された軸と、秒針５７が固定された軸とは別々に存在している。
【００１７】
軸５４は、時計ムーブメント１０によって回転駆動され、これにより、軸５４に固定された各指針（時針５５、分針５６、秒針５７）が回転して、時刻を表示する。
【００１８】
時刻表示部５０は、文字板５１のおもて面側に、文字板５１の外周縁と外装ケース５のベゼル２の内周面とを覆った見返しリング５３を備えている。見返しリング５３は、文字板５１の周縁部を押えて、文字板５１を所定の位置で保持する部材である。見返しリング５３は、時計１の中心軸線を中心とした略円環形状に形成され、時刻表示部５０を装飾する機能を発揮する。
【００１９】
時計ムーブメント１０は、閉じられた空間のうち裏蓋４に近い側に配置されている。時計ムーブメント１０は、電池１１と、時計モジュール１２と、を備えている。電池１１は、後述するソーラセル４０で発電された電気エネルギを充電するとともに、充電された電気エネルギを時計モジュール１２に供給して、時計モジュール１２のモータ等を駆動するのに用いられる。
【００２０】
時計モジュール１２は、地板１３と、この地板１３に支持されたモータ及び歯車輪列等と、そのモータ及び歯車輪列によって回転駆動される日車１４と、日車１４を押さえる日車押さえ１５（表示車押さえ）と、を備えている。なお、時針５５、分針５６及び秒針５７が固定された軸５４も、時計モジュール１２の一部を構成している。
【００２１】
地板１３は、モータ及び歯車輪列等を支持する部材であり、電池１１に近い側に配置されている。モータは電池１１から供給された電気エネルギによって回転駆動される。歯車輪列は、モータで発生した回転駆動力を増減速しつつ、軸５４や日車１４に伝達する。時計モジュール１２の構成には、歯車輪列の他に、例えば、時針５５、分針５６などの指針の位置を検出する針位置検出機能に用いられる光検出装置や、運針制御用の回路基板等が含まれる。
【００２２】
日車１４は、指針と同様に回転する円環状の部材であり、表示車の一例である。日車１４は、その円環の内周縁に形成された歯に、歯車輪列の歯が噛み合うことで、歯車輪列の回転にしたがって回転する。日車１４は、時計ムーブメント１０のうちで、文字板５１に近接して配置されている。つまり、日車１４は、文字板５１の裏面側において、文字板５１に近接して配置されている。
【００２３】
日車１４には、図２に示すように、日付を表す複数の数字「１」，「２」，…，「３１」が、周方向に並んで表示されている。日車１４が、１日につき日付の数字を一つ分だけ送るように回転することで、文字板５１に形成された窓（図示省略）に、日車１４に表示された一つの日付が重ね合わされて、窓を通して、表示された日付（数字）を視認させるように構成されている。なお、後述するソーラセル４０も、平面視で文字板５１の小窓に重なる領域は開口している。日車１４は、内周縁に形成された歯を備える円環状の部材と、日付を表す複数の数字を備える円環状の部材を重ね合せて構成した部材でもよい。
【００２４】
日車１４の内側（内周縁よりも半径方向の内側）には、日車押さえ１５が配置されている。日車押さえ１５は、電子時計１の厚さ方向ｔにおいて、その外周縁が日車１４の内周縁の一部に接する構成によって、日車１４が厚さ方向ｔの風防ガラス６側に脱落するのを阻止する部材である。日車押さえ１５は、図３に示すように、例えば３本のねじ８２によって、地板１３等に固定されている。なお、日車押さえ１５は、誘電体（絶縁体）の一例である。
【００２５】
電子時計１の厚さ方向ｔの、日車１４と文字板５１との間には、ソーラセル４０が配置されている。ソーラセル４０は、風防ガラス６の側から文字板５１に照射され、光透過性を有する文字板５１を透過した太陽光等の光を受光することで発電する。ソーラセル４０で発電した電気エネルギは、電池１１に蓄えられる。したがって、電子時計１は、いわゆる太陽電池時計である。
【００２６】
受信部３０は、外部の機器から出射された無線電波を受信する。したがって、電子時計１は、通信機能を有した、いわゆる電波時計でもある。電子時計１が受信する無線電波は、例えば、デジタル機器用の近距離無線通信規格の一つであるBluetooth（ブルートゥース：登録商標）に依拠したものである。受信部３０は、回路基板３１（第１基板）と、アンテナ基板３２（第２基板）と、導通部材３３と、を備えている。
【００２７】
アンテナ基板３２は、無線電波を受信するアンテナとしての機能を発揮する実質的な部分である線状の配線で形成されたアンテナパターン３４（アンテナ）と、このアンテナとして機能を発揮する実質的な部分（アンテナパターン３４）を支持する基板部分と、を含んだ構成である。アンテナパターン３４と基板部分とが一体化された、導電性の板状の形状のものをアンテナとしてもよい。
【００２８】
アンテナ基板３２は、アンテナパターン３４がアンテナ基板３２の下面（裏蓋４に向いた面）側に形成されている。回路基板３１は、アンテナ基板３２のアンテナに給電する給電回路３１ｃ及びＧＮＤパターン（グランドパターン）３１ｂが形成されている。導通部材３３は、給電回路３１ｃとアンテナパターン３４とを電気的に接続する（導通する）部材である。
【００２９】
また、アンテナパターン３４と給電回路３１ｃとの間には、インピーダンスのマッチングを図るためのマッチング回路を設けてもよい。特に、導通部材３３と給電回路３１ｃとの接続に関しては、マイクロストリップラインで構成することが望ましい。
【００３０】
回路基板３１は、電子時計１の厚さ方向ｔにおいて、時計ムーブメント１０の地板１３と裏蓋４との間に配置されて、地板１３等に固定されている。アンテナ基板３２は、日車押さえ１５の下面（裏蓋４を向いた面）側に配置されている。
【００３１】
つまり、アンテナ基板３２は、日車１４の、半径方向の内側に配置されている。アンテナ基板３２は、図３に示すように、一つのねじ８１によって導通部材３３に固定されている。このとき、アンテナ基板３２の下面に形成されたアンテナパターン３４と導通部材３３とが接した状態で固定される。
【００３２】
アンテナパターン３４と導通部材３３とが接した状態で固定されることにより、製造ばらつきによる、アンテナ受信感度への影響を低減することができる。また、導通部材３３は、導電性材料により形成された導電ピンであってもよい。
【００３３】
また、図１に示すように、電子時計１の厚さ方向ｔにおいて、アンテナ基板３２の少なくとも一部が日車１４と重複する位置に配置されている。さらに、アンテナ基板３２は、厚さ方向ｔにおいて、日車押さえ１５よりも裏蓋４側に配置されている。このように、アンテナ基板３２は、時計ムーブメント１０の内側（時計ムーブメント１０が占める空間の外形よりも、半径方向及び厚さ方向ｔにおいて内側の範囲）に配置されている。
【００３４】
導通部材３３は、アンテナ基板３２のアンテナパターン３４と回路基板３１の給電回路３１ｃとを電気的に接続する（導通する）部材であり、導通部材３３の下面側は給電回路３１ｃに接した状態で固定されている。導通部材３３を介して給電回路３１ｃから給電されたアンテナパターン３４が、ブルートゥースの無線電波を受信し、アンテナパターン３４が受信した無線電波は、導通部材３３を通じて回路基板３１により処理される。
【００３５】
＜作用、効果＞
以上のように構成された電子時計１は、図１に示すように、電子時計１の厚さ方向ｔにおいて、アンテナ基板３２の少なくとも一部が日車１４と重複する位置に配置されているため、電子時計１の厚さ方向ｔにおいて、日車１４等の表示車とアンテナ基板３２とを重複しない位置に配置したものに比べて、電子時計１の厚さを薄くすることができる。
【００３６】
また、電子時計１は、アンテナ基板３２が、時計ムーブメント１０を構成している時計モジュール１２の内部に配置されているため、時計ムーブメント１０から突出しない。また、電子時計１は、電子時計１の平面視において、アンテナ基板３２が日車１４と重複しない配置であるため、平面視で日車１４の配置された範囲以外の範囲にアンテナ基板３２を配置することができる。
【００３７】
図４，５はアンテナ基板３２が、時計モジュール１２の内部にあって、表示車の外側（電子時計１の平面視における半径方向の外側）に配置された例を示す平面視での模式図であり、図４は表示車として１つの日車１４を適用した例、図５は表示車として、日付の数字のうち１の位の数字を表す日車１４と１０の位の数字を表す日車１４′を適用した例をそれぞれ示す。
【００３８】
本発明に係る電子時計は、アンテナ部材が表示車の内側に配置されているものでなくてもよく、図４，５に示すように、アンテナ基板３２が日車１４，１４′等の表示車の外側に配置されているものであってもよい。つまり、本発明に係る電子時計は、電子時計の厚さ方向において、アンテナ部材の少なくとも一部が表示部材と重複するものであればよい。
【００３９】
また、電子時計１は、厚さ方向ｔにおいて、ソーラセル４０がアンテナパターン３４に対して裏蓋４とは反対側に配置され、ソーラセル４０とアンテナパターン３４との間に誘電体（絶縁体）である日車押さえ１５が配置されている。したがって、仮に日車押さえ１５が存在していないと想定した構造の電子時計では、半導体であるソーラセル４０と導体であるアンテナパターン３４とが接して短絡が生じる状況が生じたとしても、本実施形態の電子時計１では、日車押さえ１５が、ソーラセル４０とアンテナパターン３４との接触を阻止するため、短絡が生じるのを防止することができる。
【００４０】
日車押さえ１５は、誘電体（絶縁体）材料により形成されているため、誘電体の波長短縮効果によって、アンテナ電極の小型化に寄与している。
【００４１】
なお、本発明に係る電子時計は、ソーラセル４０とアンテナパターン３４との間に日車押さえ１５が配置されているものに限定されず、ソーラセル４０とアンテナパターン３４との間に、日車押さえ１５とは別の誘電体が配置されていて、その誘電体によって、ソーラセル４０とアンテナパターン３４との接触を阻止して短絡を防止するものであってもよい。
【００４２】
図６は日車押さえ１５を備えない構成の電子時計１を示す図１相当の断面図、図７は図６における時計モジュール１２を示す図２相当の斜視図、図８はソーラセル４０が日車押さえ１５の機能を発揮する構成の例を示す図１相当の断面図である。電子時計１は、図６，７に示すように、図１，２に示した日車押さえ１５を備えないものであってもよい。
【００４３】
また、図８に示すように、ソーラセル４０の裏蓋４に向いた面に、裏蓋４に向けて突出した突出部４０ａを設け、この突出部４０ａを、日車押さえ１５の機能を発揮する構成として採用することもできる。さらに、ソーラセル４０を備えないものでは、文字板５１の裏蓋４に向いた面に、上述した突出部４０ａと同様の突出部を設け、この突出部を、日車押さえ１５の機能を発揮する構成として採用することもできる。
【００４４】
なお、図６，８においては、給電回路３１ｃ及びＧＮＤパターン３１ｂの記載は省略したが、図１と同じである。
【００４５】
日車押さえ１５を備えない構成の電子時計１の場合は、アンテナ基板３２が、日車１４の、裏蓋４とは反対の面（文字板５１に向いた面）から突出しないように配置されていることが好ましい。このように好ましい形態の電子時計１は、アンテナ基板３２が、日車１４の、裏蓋４とは反対の面よりも引っ込んで配置されているため、アンテナ基板３２を時計モジュール１２の内部に収容することができる。
【００４６】
電子時計１は、実質的にアンテナとして機能する部分であるアンテナパターン３４が線状に形成されているため、面状に形成されたアンテナパターンよりも、平面視での面積を小さくすることができる。このため、電子時計１の平面視において、アンテナパターン３４と半導体であるソーラセル４０との重複する面積を、面状に形成されたアンテナパターンとソーラセルとの重複する面積よりも小さくすることができる。
【００４７】
この結果、平面視での重複した面積が大きくなるにしたがって大きくなる浮遊容量（寄生容量）を、電子時計１は、面状に形成されたアンテナパターンを有する電子時計よりも小さくすることができ、浮遊容量の電流ロスによるアンテナの受信感度の劣化を低減することができる。
【００４８】
なお、本発明に係る電子時計は、平面視において、アンテナパターン３４の全部がソーラセル４０と重複するものに限定されず、アンテナパターン３４の一部がソーラセル４０と重複するものものであってもよいし、アンテナパターン３４がソーラセル４０と全く重複しなくてもよい。さらに、本発明に係る電子時計は、ソーラセル４０を備えないものであってもよい。
【００４９】
また、本発明に係る電子時計は、線状のアンテナパターンが形成された第２基板を備えたものに限定されるものではなく、面状のアンテナパターンが形成された第２基板を備えたものであってもよい。
【００５０】
また、本発明に係る電子時計は、第２基板のアンテナが、配線でアンテナパターンが基板に形成されたものに限定されるものではなく、第２基板のアンテナが、いわゆるパッチアンテナ（平面アンテナ）や逆Ｆ型アンテナであってもよい。さらに、第２基板のアンテナは、基板部分にバーアンテナやチップアンテナが実装されたアンテナ基板３２で構成されてもよい。
【００５１】
また、本発明に係る電子時計は、アンテナ部材のアンテナが受信する無線電波がブルートゥースの規格に依拠したものでなくてもよく、例えば、いわゆるＷｉ−Ｆｉ（登録商標）の電波やＮＦＣ（近距離無線通信）、標準時刻情報を含んだ長波の電波や、ＧＰＳ用の衛星から出射された電波等であってもよい。
【００５２】
なお、電子時計１は、アンテナ基板３２の線状のアンテナパターン３４が、外装ケース５の胴３の延びた方向（円周方向）とは異なる方向に延びている。すなわち、アンテナパターン３４は、全長に亘って、外装ケース５の胴３との距離が一定ではなく、アンテナパターン３４は胴３と同心の周方向に延びていない。
【００５３】
ここで、仮に、アンテナパターン３４が胴３の延びた方向と同心の周方向に延びているものでは、アンテナパターン３４と胴３との間で浮遊容量（寄生容量）が発生するが、電子時計１は、アンテナパターン３４が胴３の延びた方向とは異なる方向に延びているため、アンテナパターン３４と胴３との間で浮遊容量が発生しないか、又は発生を抑制される。これにより、本発明に係る電子時計は、浮遊容量によるアンテナの受信感度の劣化を低減することができる。
【００５４】
特に、第２基板がバーアンテナの場合、バーアンテナの形状は直線状や円弧状に形成されることが多い。このような直線状や円弧状のバーアンテナの場合であっても、本発明に係る電子時計は、そのバーアンテナの延びた方向を外装ケースの延びた方向とは異なる方向とすることにより、浮遊容量の発生を抑制することができる。
【００５５】
なお、本発明に係る電子時計は、第２基板のアンテナは外装ケースの周方向とは異なる方向に延びているものに限定されない。
【００５６】
図９は日車押さえ１５がアンテナ基板３２を兼ねた構成の電子時計１を示す図３相当の分解斜視図、図１０は図９に示した電子時計１の、図１相当の断面図である。図９，１０に示した電子時計１は、図１に示した実施形態の電子時計１において、日車押さえ１５がアンテナ基板３２を兼ねた構成である点を除いて、図１の電子時計１と同じである。なお、図１０においては、給電回路３１ｃ及びＧＮＤパターン３１ｂの記載は省略したが、図１と同じに形成されている。
【００５７】
図１０に示した電子時計１は、日車押さえ１５の下面（裏蓋４を向いた面）に、線状のアンテナパターン３４が形成されている。これにより、図１に示した電子時計１のように、アンテナパターン３４を支持する基板部分を、日車押さえ１５とは別に備える必要が無く、構成を簡略化するとともに厚さを薄くすることができる。
【００５８】
なお、電子時計１は、アンテナ基板３２が、無線電波を受信するアンテナの機能とは別の他の機能の回路を含むものであってもよい。そのような他の機能としては、例えば、時針５５、分針５６、秒針５７等の指針の位置検出回路などを適用することもできる。これにより、複数の機能に関わる回路を１つにまとめることができる。その他の例としては、アンテナ基板３２に、受信部３０を構成している受信用回路の少なくとも一部を設けておくこともできる。
【００５９】
また、電子時計１は、電子時計１の平面視において、アンテナ基板３２のアンテナパターン３４は、電子時計１の駆動源である電池１１と重複しない配置となっている。電池１１は導体であるため、電池１１がアンテナパターン３４に近接していると無線電波の受信感度を低下させるおそれがあるが、電子時計１は、電池１１がアンテナパターン３４から離れていて、かつ、電子時計の平面視で、電池１１がアンテナパターン３４と重複しない位置であるため、無線電波の受信感度を低下させるおそれがない。
【００６０】
電子時計１は、アンテナ基板３２が回路基板３１に比べて、電子時計１の平面視での大きさが小さいため、アンテナ基板３２を時計ムーブメント１０の内側に収納した構造を実現することができ、電子時計１を薄型化することができる。
【００６１】
電子時計１は、電子時計１の平面視において、アンテナ基板３２が、円環状に形成された日車１４の半径方向の内側に配置されているため、時計ムーブメント１０を小径化することができる。
【００６２】
また、電子時計１は、図３に示すように、巻真９０が、文字板５１（図１参照）の３時の方向（文字板５１の１２時の方向を０度、文字板５１の１周の角度を３６０度、時計回り方向の角度を正に設定したときの９０度の方向）に設けられている。したがって、時計モジュール１２の、３時の方向（９０度の方向）の部分には、通常の一般的な腕時計と同様に、竜頭やおしどりなどの金属部品が集中して配置されている。
【００６３】
そして、電子時計１は、アンテナ基板３２のアンテナパターン３４に給電する導通部材３３が、時計回り方向の１８０度以上３６０度以下の方向の範囲αに設けられて、金属部品が集中している９０度付近からは遠く離れた配置となっている。また、アンテナ基板３２とモータとは断面視で（電子時計１の厚さ方向において）重ならない位置に配置され、かつアンテナの給電部の周辺には、モータは配置されない。一般に、アンテナの給電部となる導通部材３３は、流れる電流が大きいため磁場が大きくなる。そして、仮に、導通部材３３の近くに金属部品が配置されていると、金属部品が磁場の影響を受けて、アンテナの受信感度を低下させる。
【００６４】
これに対して、電子時計１は、導通部材３３が金属部品から遠く離れた配置となっているため、アンテナの受信感度の低下が防止又は抑制される。
【００６５】
なお、本発明に係る電子時計は、導通部材３３が時計回り方向の１８０度以上３６０度以下の方向の範囲αに設けられているものに限定されない。
【００６６】
図１１は回路基板３１の、アンテナ基板３２のアンテナパターン３４と重複する部分の少なくとも一部Ｗに開口３１ａが形成された電子時計１の、厚さ方向ｔの断面を示す図１相当の断面図であり、図１２は日車押さえ１５を除いた時計モジュール１２を、文字板５１の側から見た平面図、図１３は図１２に示した時計モジュール１２を、図示の上下方向の軸回りに回転させて裏蓋４側から見た底面図をそれぞれ示す。
【００６７】
図１４は回路基板３１の、アンテナ基板３２のアンテナパターン３４と重複する部分の少なくとも一部Ｗに、アンテナパターン３４に対する基準電位として機能する部分（例えば、ＧＮＤパターン３１ｂ）が形成されていないものを示す図１相当の断面図である。なお、図１１，１４においては、給電回路３１ｃの記載は省略したが、図１と同じに形成されている。
【００６８】
電子時計１は、図１１，１２，１３に示すように、電子時計１の平面視において回路基板３１の、アンテナ基板３２のアンテナパターン３４と重複する部分の少なくとも一部Ｗに開口３１ａが形成されているか、又は図１４に示すように、電子時計１の平面視において回路基板３１の、アンテナ基板３２のアンテナパターン３４と重複する部分の少なくとも一部Ｗに、アンテナパターン３４に対する基準電位として機能する部分（例えば、ＧＮＤパターン３１ｂ）が形成されていない（アンテナパターン３４に対する基準電位として機能する部分以外の部分だけで形成されている）ことが好ましい。
【００６９】
回路基板３１の、アンテナ基板３２のアンテナパターン３４と重複する部分に、アンテナパターン３４に対する基準電位として機能する部分（例えば、ＧＮＤパターン３１ｂ）が形成されていると、基準電位として機能する部分を挟んでアンテナパターン３４と対称の位置に、アンテナパターン３４と対称のイメージアンテナが形成される。そして、イメージアンテナは、横方向（アンテナパターン３４の面内の向き）の電流の向きがアンテナパターン３４と逆方向になるため、磁界が相殺され、受信感度が低下する。
【００７０】
これに対して、回路基板３１の、アンテナ基板３２のアンテナパターン３４と重複する少なくとも一部Ｗに、開口３１ａが形成され、又はアンテナパターン３４に対する基準電位として機能する部分（例えば、ＧＮＤパターン３１ｂ）が形成されていないものでは、イメージアンテナが形成されないため、アンテナパターン３４による無線電波の受信感度の低下を回避することができる。
【００７１】
なお、電子時計１は、カレンダー機能等を発揮する日車１４を備えたものであるが、日車１４に代えて、周方向に曜日や都市名などが複数並んで表示された表示車を備え、文字板５１の文字板５１に形成された窓に、表示車のそれら曜日や都市名の一つが重ね合わされ、窓を通して表示された曜日や都市名を視認させるように構成されたものであってもよい。
【００７２】
また、電子時計１は、ベルトを介して腕に装着される腕時計であるものとして説明したが、本発明に係る電子時計は腕時計に限定されない。本発明に係る電子時計は、例えば、置き時計、掛け時計、懐中時計等であってもよい。また、本発明に係る電子時計は、例えば、各種カメラ、ゲーム機器、携帯電話機（スマートフォンを含む）、ＰＤＡ（Personal Digital Assistant）、ノート（ラップトップ）型パーソナルコンピュータ等の携帯可能な情報端末装置、家庭電化製品や自動車を含む電子機器に適用されるものであってもよい。
【符号の説明】
【００７３】
１      電子時計
５      外装ケース
１０    時計ムーブメント
１４    日車
１５    日車押さえ
３１    回路基板（第１基板）
３２    アンテナ基板（第２基板）
３３    導通部材
３４    アンテナパターン（アンテナ）
５１    文字板
ｔ      厚さ方向
【図１】
2020016563.tif 000003
【図２】
2020016563.tif 000004
【図３】
2020016563.tif 000005
【図４】
2020016563.tif 000006
【図５】
2020016563.tif 000007
【図６】
2020016563.tif 000008
【図７】
2020016563.tif 000009
【図８】
2020016563.tif 000010
【図９】
2020016563.tif 000011
【図１０】
2020016563.tif 000012
【図１１】
2020016563.tif 000013
【図１２】
2020016563.tif 000014
【図１３】
2020016563.tif 000015
【図１４】
2020016563.tif 000016